(57)【要約】【課題】可動フレームに支承された押圧受け部が固定フレームの載置部の端部と衝突することなく、可動フレームを最大限に固定フレームへ近づけることができる浴槽用手摺りを提供する。【解決手段】本発明によれば、浴槽側壁の上面に直置きされる固定フレームと、前記固定フレームの上にスライド可能に取り付けられる可動フレームとを備えた浴槽用手摺りにおいて、前記固定フレームは、浴槽側壁の一方の側面を押圧するために前記固定フレームに対して近接離間する押圧部を有しており、前記可動フレームは、浴槽側壁の他方の側面を押圧する押圧受け部と、前記可動フレームを前記固定フレームへ取付けた時に前記固定フレームの底面と略同じレベルとなる下端部を備えたスカートとを有している浴槽用手摺りが提供される。【選択図】  図４
2019180676.tif 000002
【特許請求の範囲】
【請求項１】
浴槽側壁の上面に直置きされる固定フレームと、前記固定フレームの上にスライド可能に取り付けられる可動フレームとを備えた浴槽用手摺りにおいて、
前記固定フレームは、浴槽側壁の一方の側面を押圧するために、前記固定フレームに対して近接離間する押圧部を有しており、
前記可動フレームは、浴槽側壁の他方の側面を押圧する押圧受け部と、前記可動フレームを前記固定フレームへ取付けた時、前記固定フレームの底面と略同じレベルとなる下端部を備えたスカートとを有している
ことを特徴とする浴槽用手摺り。
【請求項２】
前記固定フレームは、浴槽側壁の上面へ載置される載置部と、前記載置部に連結されており、前記押圧部を前進／後退させる移動装置を支持する基部とを有しており、
前記載置部は、前記スカートをスライド方向に受け入れる切欠き部を有していることを特徴とする請求項１に記載の浴槽用手摺り。
【請求項３】
前記移動装置は、前記押圧部を支承するボルト軸と、前記ボルト軸と螺合し且つ前記固定フレームに回動不能に取り付けられているナットと、前記ボルト軸を回動するためのハンドルノブからなる請求項２に記載の浴槽用手摺り。
【請求項４】
前記スカートは、前記可動フレームの底面から下方へ且つ前記可動フレームのスライド方向へ延びていることを特徴とする請求項１ないし３のいずれか１項に記載の浴槽用手摺り。
【請求項５】
前記スカートは、前記可動フレームの幅方向における左側領域及び右側領域のそれぞれに配置されていることを特徴とする請求項１ないし４のいずれか１項に記載の浴槽用手摺り。
【請求項６】
前記スカートは、前記可動フレームの補強リブの一部を形成していることを特徴とする請求項１ないし５のいずれか１項に記載の浴槽用手摺り。
【請求項７】
前記スカートは、前記可動フレームに対して着脱可能であることを特徴とする請求項１ないし６のいずれか１項に記載の浴槽用手摺り。
【請求項８】
前記スカートは、断面視において下向きのコの字形状を有していることを特徴とする請求項１ないし７のいずれか１項に記載の浴槽用手摺り。
【請求項９】
前記固定フレームには、前記固定フレームの上方に配置される手摺り本体が取り付けられていることを特徴とする請求項１ないし８のいずれか１項に記載の浴槽用手摺り。
【発明の詳細な説明】
【技術分野】
【０００１】
本発明は、可動フレームのスムーズな移動が保証された、浴槽側壁に着脱自在に取り付けられる浴槽用手摺りに関する。特に本発明は、浴槽側壁の上面に載置される固定フレームと、固定フレームの上にスライド可能に取り付けられた可動フレームとからなる浴槽用手摺りにおいて、可動フレームをスライド移動等する時、可動フレームに支承された押圧受け部が固定フレームの載置部の端部と衝突して引っ掛かることがなく、可動フレームを最大限に固定フレームへ近づけることができる浴槽用手摺りに関する。
【背景技術】
【０００２】
従来より、高齢者等が浴槽に出入りする際に身体を容易に支持することができるように、浴槽側壁を洗い場側及び浴槽側からクランプすることによって着脱自在に取り付けることができる浴槽用手摺りが知られている。
【０００３】
また、これらの浴槽用手摺りの多くは、浴槽側壁の上面に載置される固定フレームと、固定フレームの上にスライド可能に取り付けられる可動フレームとから構成されており、さらに、浴槽側壁をクランプするために前進後退する押圧部は、例えば特開２０１５−１７３６９９号公報（特許文献１）に記載されているように固定フレームに取り付けられているタイプと、例えば特開２００５−７０１１号公報（特許文献２）に記載されているように可動フレームに取り付けられているタイプが知られている。
【０００４】
ところで、特許文献１，２に記載の浴槽用手摺りは、移動装置による押圧部の移動距離を必要最小限に抑えて手摺り本体をできるだけコンパクトにする目的で、浴槽側壁の厚みに合わせて、予め可動フレームの押圧受け部をできるだけ固定フレームの押圧部へ近接できるようにすることが求められる。
【０００５】
また、特許文献１，２に記載の浴槽用手摺りでは、押圧部の押圧面の中心（例えば荷重点）が押圧受け部の受け面からその領域外へ外れることにより浴槽側壁にねじり応力が発生じたり、浴槽用手摺りが回転（転倒）することを防止するため、押圧受け部の上端をできるだけ固定フレームの載置部の下面へ近接させて配置することが望まれる。
【０００６】
ところが、特許文献１，２に記載の浴槽用手摺りは、上記２つの要求を満たしながら、可動フレームの押圧受け部をできるだけ固定フレームの押圧部へ近接するように移動させると、可動フレームに支持された押圧受け部が固定フレームの載置部の端部と衝突して引っ掛かってしまい、載置部の下面まで前進させることができない、延いては押圧受け部の上端に隙間を設けて固定フレームの載置部の下面へ近接できなくなる、或いは手摺り本体をコンパクトにできなくなるという問題があった。また、前述の問題は、特に押圧受け部が可動フレームのスライドのみによって移動する特許文献１に記載されたタイプの浴槽用手摺りにおいてより一層顕著になるという特徴があった。
【先行技術文献】
【特許文献】
【０００７】
【特許文献１】特開２０１５−１７３６９９号公報
【特許文献２】特開２００５−７０１１号公報
【発明の概要】
【発明が解決しようとする課題】
【０００８】
そこで、本発明は、浴槽側壁の上面に載置される固定フレームと、固定フレームの上にスライド可能に取り付けられた可動フレームとからなる浴槽用手摺りにおいて、可動フレームをスライド移動等する時、可動フレームに支承された押圧受け部が固定フレームの載置部の端部と衝突して引っ掛かることがなく、可動フレームを最大限に固定フレームへ近づけることができる浴槽用手摺りを提供することを目的とする。
【課題を解決するための手段】
【０００９】
本発明者等は、固定フレームと可動フレームについて、可動フレームのスライド部の下面と固定フレームの載置部の端部により形成される段差を解消するための構造や形状などについて鋭意検討を重ねた結果、可動フレームのスライド部の一部に固定フレームの載置部の下面と同じレベルを形成するレベル補正具を設け、また、固定フレームにはレベル補正具を受け入れることが可能な開口部を設けることで上記の課題を解決できることを見出し、本発明を完成させるに至った。
【００１０】
すなわち、本発明によれば、
浴槽側壁の上面に直置きされる固定フレームと、前記固定フレームの上にスライド可能に取り付けられる可動フレームとを備えた浴槽用手摺りにおいて、
前記固定フレームは、浴槽側壁の一方の側面を押圧するために、前記固定フレームに対して近接離間する押圧部を有しており、
前記可動フレームは、浴槽側壁の他方の側面を押圧する押圧受け部と、前記可動フレームを前記固定フレームへ取付けた時、前記固定フレームの底面と略同じレベルとなる下端部を備えたスカートとを有している浴槽用手摺りが提供される。
【００１１】
本発明の浴槽用手摺りの基本形は、浴槽側壁の上面に載置される水平部分の載置部を備えた固定フレームと、固定フレームの載置部の上に取り付けられるスライド部を備えた可動フレームとを備えており、そして固定フレームの垂直部分を構成する基部には、浴槽側壁を押圧するために可動フレームの垂直部に対して前進後退する押圧部が装着されていることである。可動フレームのフレーム幅やスライド長には特に制限はないが、本発明の浴槽用手摺りでは、可動フレームのスライド部のフレーム幅を固定フレームの載置部のフレーム幅よりも幅狭とし、スライド長を長くすることで、軽量構造にて多様な厚みの浴槽側壁に適合できるようにしている。
【００１２】
可動フレームのスライド部には、可動フレームを固定フレームへ取り付けた時、固定フレームの載置部の底面と略同じレベルとなる下端部を有するスカートが設けられている。ただし、スカートは可動フレームのスライド部の全長に亘り設けられている必要がなく、スライド部が固定フレームの載置部の上をスライドする量と略同等の長さか、やや長目の長さを有していれば足りる。
【００１３】
スカートは、可動フレームのスライド部の底面が平坦である場合、可動フレームのスライド部の底面から下方へ且つ可動フレームのスライド方向へ延びているリブを形成するような形態であってもよい。また、上述のように可動フレームのスライド部の底面が平坦である場合、スカートはスライド部の幅方向における左側領域及び右側領域のそれぞれに配置されていることが好ましい。
【００１４】
例えば可動フレームがスライド方向と直交する断面において下向きのコの字形状を有している場合、スライド部の下向きコの字形断面の両端部に形成される側壁が固定フレームの載置部の底面と略同じレベルとなる下端部を有していれば、前記下端面を有している側壁部分をスカートとして利用（兼用）することができる。
【００１５】
また、スカートが可動フレームのスライド部の下方に延びた壁を形成している場合は、スカートを可動フレームの補強リブとして機能させることもできる。
【００１６】
本発明において、スカートをスライド部の幅方向における左側領域及び右側領域のそれぞれに配置するのが好ましいのは、可動フレームの移動時に生じる押圧受け部の揺動を、押圧受け部の上端の幅方向の２箇所から規制することで、可動フレームおよび押圧受け部を安定してスライド移動等させることができるからである。
【００１７】
すなわち、浴槽側壁の上面に載置される固定フレームと、固定フレームの上にスライド可能に取り付けられた可動フレームとからなる一般的な浴槽用手摺りにおいては、可動フレームをスライド移動等する時に、可動フレームに支承された押圧受け部が周方向に揺動するため、固定フレームの載置部の端部と衝突して引っ掛かってしまうことがある。
【００１８】
ところが、本発明では、押圧受け部が揺動しようとすると押圧受け部の上端の左側領域又は右側領域がスカートの下端部と当接するため、可動フレームの移動時に生じる押圧受け部の揺動を確実に規制することができる。しかも、スカートの下端部は固定フレームの載置部の底面と略同じレベルに設定されているので、可動フレームの移動時、押圧受け部は可動フレームのスカートの下端部と固定フレームの載置部の底面との間で引っ掛かりを生じることなくスムーズに移動することができる。
【００１９】
本発明では、スカートは可動フレームの一部分を形成する一体部品として構成する必要はなく、可動フレームに対して着脱可能に可動フレームとは分離独立した別部品として構成してもよい。
【００２０】
例えば、スカートを断面視において下向きのコの字形状を有するように構成した場合は、スカートを可動フレームのスライド部に対して横方向からスライド挿入することにより、或いは上方向から嵌め込むことにより、スライド部の上に簡単にスライド可能に取り付けることができる。また、スカートは所定の高さ（位置）に下端部を備えていれば可動フレームのような高い剛性を求められることはないので、形状が重視されるスカートを強度が重視される可動フレームから分離することにより、過剰な材料の使用を抑制して効率よく製作することができる。
【００２１】
可動フレームのスライド方向に沿ったスカートの長さを一定にする場合、浴槽用手摺りの固定フレームには、スカートをスライド方向に受け入れることができる切欠き部を設けることが好ましい。
【００２２】
本発明の浴槽用手摺りでは、固定フレームの水平部分（横部材）を構成する載置部へ所定の高さ（位置）に下端部を備えたスカートのリブをスライド方向に受け入れることができる切欠き部を設けているので、スカートが可動フレームのスライド方向に沿った長さを調節できない場合でも、スカートを固定フレームと干渉させることなく、可動フレームを最大限に固定フレームへ近づけることができる。
【００２３】
例えば、可動フレームを固定フレームに対して最も近接した位置に固定しようとすると、所定の高さ（位置）に下端部を備えたスカートのリブが固定フレームの載置部と干渉するので、可動フレームの垂直部や垂直部に取り付けられた押圧受け部をスカートの長さ以下の距離に固定フレームへ近接させることができなくなる。ところが、本発明の浴槽用手摺りでは、固定フレームの載置部へ、スカートのリブをスライド方向に受け入れることができる切欠き部を設けているので、スカートのリブを固定フレームの載置部と干渉させることなく、可動フレームのスライド部の大半を固定フレームの載置部と重なり合うように近接させることができる。
【００２４】
また、本発明の浴槽用手摺りでは、可動フレームのスライド部の大半が固定フレームの載置部と重なり合う場合においても、スカートの下端部が固定フレームの切欠き部の中で載置部の底面と略同じレベルに保持されるため、押圧受け部が固定フレームの載置部の端部と衝突して引っ掛かることがなく、可動フレームをスムーズに固定フレームへ近づけることができる。
【００２５】
本発明のスカート及び切欠き部は、特許文献１に記載されているような押圧部と押圧部を動かすための移動措置が固定フレームに取り付けられており、そして、押圧受け部は可動フレームのスライドのみによって移動するようなタイプの浴槽用手摺りに対して適用しても最大限に利益を享受し得る。
【００２６】
より具体的には、押圧部を支承するボルト軸と、ボルト軸と螺合し且つ固定フレームの縦部材を構成する基部に回動自在に取り付けられているナットと、ナットを回動するためのハンドルノブとを含んでいる移動手段や、或いは押圧部を支承するボルト軸と、ボルト軸と螺合し且つ固定フレームの縦部材を構成する基部に回動不能に固定されているナットと、ボルト軸を回動するためのハンドルノブとを含んでいる移動手段を備えているタイプの浴槽用手摺りが、本発明のスカート及び切欠き部を適用することにより最大限に利益を享受し得る。
【００２７】
なぜなら、上述のようなタイプの浴槽用手摺りへ本発明のスカート及び切欠き部を適用すると、押圧部の押圧面の中心（例えば荷重点）が押圧受け部の受け面から外れることがないように、押圧受け部の上端を可能な限り固定フレームの載置部の下面へ近接させることができるようになると共に、可動フレームをスライド移動等する時、可動フレームに支承された押圧受け部が固定フレームの載置部の端部と衝突して引っ掛かることなく、可動フレームを最大限に固定フレームへ近づけることもできるようになるからである。
【００２８】
その結果、本発明の浴槽用手摺りでは、押圧受け部の上端の全部又は一部を押圧部の押圧面の中心よりも高い位置に配置することができるので、押圧部の押圧面の中心や荷重点が押圧受け部の受け面からその領域外へ外れることにより生じる、浴槽側壁のねじり応力を効果的に抑制することができる。また、押圧部の押圧面の中心や荷重点が押圧受け部の受け面から外れることにより、押圧受け部の受け面が浴槽側壁に対して傾斜（回転）した状態で押圧することも防止されるので、押圧受け部の上端の縁部や角部が浴槽側壁を局部的に押圧する（応力集中を起す）ことも効果的に防止することができる。
【００２９】
また、本発明の浴槽用手摺りでは、押圧受け部の上端を可能な限り固定フレームの載置部の下面へ近づけることにより、押圧受け部の浴槽側壁（側面）との当接面の上端が押圧部の浴槽側壁（側面）との当接面の上端と同じ高さとなるように配置することができるので、押圧受け部の上端或いは押圧受け部の浴槽側壁（側面）との当接面上端の縁部や角部が浴槽内壁を局部的に押圧することがなくなる結果、応力集中による浴槽内壁の破壊を防止することができる。
【００３０】
なお、本願明細書において、押圧部の浴槽側壁（側面）との「当接面」とは、浴槽側壁（側面）と対向する押圧部の「押圧面」の内、クランプ時、実際に浴槽側壁（側面）と当接（接触）する面を意味し、押圧受け部の浴槽側壁（側面）との「当接面」とは、浴槽側壁（側面）と対向する押圧受け部の「受け面」の内、クランプ時、実際に浴槽側壁（側面）と当接（接触）する面を意味する。
【００３１】
本願明細書において、当接面の上端の「高さ」とは絶対的な高さを意味するのではなく、例えば本体フレームの載置部の下面から当接面上端までの距離のように、本体フレームのある部分を基準とした場合の当該部分に対する相対的な位置（高さ）を意味する。
【００３２】
また、本願明細書において、押圧部の当接面の上端と押圧受け部の当接面の上端が「同じ高さ」である態様とは、厳密な意味において同じ高さである必要はなく、例えば押圧部の当接面の上端と押圧受け部の当接面の上端とが互いに高さ方向に５ｍｍ程度ズレているような場合であっても、「同じ高さ」である態様として取り扱っている。
【発明の効果】
【００３３】
本発明の浴槽用手摺りによれば、固定フレームの水平部分（横部材）を構成する載置部へ所定の下端部を備えたスカートと、該スカートのリブをスライド方向に受け入れることができる切欠き部を設けているので、固定フレームに対する可動フレームの近接離間位置に拠らず、可動フレームのスライド部の底面をスカートの下端部を介して固定フレームの載置部の底面と略同じレベルに接続できるため、可動フレームに支承された押圧受け部が固定フレームの載置部の端部と衝突して引っ掛かることがなく、可動フレームを最大限に固定フレームへ近づけることができる。
【００３４】
その結果、本発明の浴槽用手摺りによれば、押圧受け部の上端の全部又は一部を押圧部の押圧面の中心よりも高い位置に配置することができるので、押圧部の押圧面の中心や荷重点が押圧受け部の受け面からその領域外へ外れることにより生じる、浴槽側壁のねじり応力を効果的に抑制することができる。また、押圧部の押圧面の中心や荷重点が押圧受け部の受け面から外れることにより、押圧受け部の受け面が浴槽側壁に対して傾斜（回転）した状態で押圧することも防止されるので、押圧受け部の上端の縁部や角部が浴槽側壁を局部的に押圧する（応力集中を起す）ことも効果的に防止することができる。
【００３５】
また、本発明の浴槽用手摺りよれば、押圧受け部の上端を可能な限り固定フレームの載置部の下面へ近づけることにより、押圧受け部の浴槽側壁（側面）との当接面の上端が押圧部の浴槽側壁（側面）との当接面の上端と同じ高さとなるように配置することができるので、押圧受け部の上端或いは押圧受け部の浴槽側壁（側面）との当接面上端の縁部や角部が浴槽内壁を局部的に押圧することがなくなる結果、応力集中による浴槽内壁の破壊を防止することができる。
【図面の簡単な説明】
【００３６】
【図１】本発明の一実施形態に係る浴槽用手摺りの全体概要図である。
【図２】図１に示される浴槽用手摺りの分解図である。
【図３】図１に示される浴槽用手摺りをボルト軸に沿って切り取った断面図である。
【図４】本実施形態の浴槽用手摺りにおいて、固定フレームと可動フレームとを（ａ）分離した状態、（ｂ）離間接続した状態、（ｃ）近接接続した状態を示した概要図である。
【図５】図４に示される浴槽用手摺りにおいて、固定フレームと可動フレームとを（ａ）離間接続した状態、（ｂ）近接接続した状態を示した側面図である。
【００３７】
図１及び図２を用いて、本発明の一実施形態に係る浴槽用手摺り１の主な構成を説明する。図１には、本発明の一実施形態に係る浴槽用手摺り１の全体概要が示されており、図２には、図１に示される浴槽用手摺り１を主な部品に分解した態様が示されている。
【００３８】
図１，２に示されているように、浴槽用手摺り１の基本的骨格は、浴槽側壁の上面へ直接載置される載置部２１と、載置部２１と連結しており浴槽側壁の一の側面に当接される基部２２とを備えた倒Ｌ字形の固定フレーム２と、固定フレーム２の載置部２１の上にスライド可能に取り付けられるスライド部３１と、スライド部３１と連結しており浴槽側壁の他の側面に当接される垂直部３２とを備えた倒Ｌ字形の可動フレーム３とから構成される。また、可動フレーム３のスライド部３１には、可動フレーム３を固定フレーム２へ取付けた時、固定フレーム２の載置部２１の底面と略同じレベルとなる下端部４１を備えたスカート４が着脱自在に取り付けられている。
【００３９】
なお、可動フレーム３のフレーム幅やスライド長には特に制限はないが、本実施形態の浴槽用手摺り１では、可動フレーム３のスライド部３１のフレーム幅を固定フレーム２の載置部２１のフレーム幅よりも幅狭とし、スライド長を長くすることで、軽量構造にて多様な厚みの浴槽側壁に適合できるようになっている。
【００４０】
固定フレーム２の基部２２には、浴槽側壁の側面を押圧する押圧部６と、押圧部６を前進及び後退させるための移動装置８が取り付けられており、固定フレーム２の基部２２の外側であって固定フレーム２の上方には、使用者の身体を支えるためのメイングリップ（手摺り本体）２３と、浴槽用手摺り１の傾転を防止するための脚部５が取り付けられている。一方、可動フレーム３の垂直部３２には、押圧部６とは反対側の浴槽側壁の側面と当接する押圧受け部７と、浴槽内の使用者の動きを補助するためのサブグリップ３３が取り付けられている。また、移動装置８はナット８１を回転させるためのハンドルノブ８０を含んでおり、ナット８１の回転により螺進退されるボルト軸８２の先端には、矩形平面を有する板状の押圧部６が首振り自在に取り付けられている。
【００４１】
また、本実施形態の浴槽用手摺り１では、着脱自在に装着可能な保護カバー２４，３４を用いて固定フレーム２の載置部２１と可動フレーム３のスライド部３１と、そして可動フレーム３の垂直部３２を覆うことにより、凹凸部などの危険箇所を減らしたり、通常は操作不要な部位の誤操作を防止したりすると共に、視覚的に見栄えを良くして清潔にしている（図２参照）。
【００４２】
メイングリップ２３は、平面視が略矩形のリング状の上部グリップ２３０と、上部グリップ２３０と連結されており、複数の固定孔２３１が設けられている１対のグリップ支持部２３２とを含んでおり、メイングリップ２３は、グリップ支持部２３２の固定孔２３１へ、固定フレーム２に取り付けられた挿入・解除手段の挿入ピン（図示せず）を挿入することより任意の高さに固定することができる。
【００４３】
脚部５は、ネジ５０により固定フレーム２へネジ止めされる主脚部５１と、主脚部５１の内部に設けられた雌ネジ部と螺合する雄ネジ部が外周面に設けられた補助脚部５２とから構成されている。脚部５は、主脚部５１に対し補助脚部５２を回転させることによりその長さを調節することができる。
【００４４】
図２を参照して理解されるように、本実施形態の固定フレーム２の載置部２１には、載置部２１から基部２２に亘り連続して延びている２本の補強リブ２０と、可動フレーム３のスライド部３１に装着されたスカート４を受け入れるための１対の切欠き部４０と、そして載置部２１の幅方向において、グリップ支持部２３２よりも外側へ向けて延びた延出部２５が設けられている。
【００４５】
延出部２５は、浴槽側壁の長手方向に沿って水平方向の力がメイングリップ２３へ加えられた時、浴槽側壁の上面と当接することによりメイングリップ２３に働く回転モーメントに抗するようにメイングリップ２３を支えるので、メイングリップ２３が浴槽側壁の上面上で浴槽側壁の長手方向へ回転したり転倒したりするのを強力に阻止する。なお、「載置部２１の幅方向」とは、固定フレーム２の載置部２１において押圧部６と押圧受け部７によって浴槽側壁をクランプする方向とは直交する方向の中の水平方向を意味し、浴槽用手摺り１を浴槽側壁へ取り付けた時、浴槽側壁の上面の長手方向と略一致する方向である。
【００４６】
図３には、本実施形態に係る浴槽用手摺り１をボルト軸８２に沿って切り取った断面図が示されている。浴槽用手摺り１の固定フレーム２は、載置部２１と、載置部２１に連結されており浴槽側壁の一方の側面へ当接される当接部２３を備えた基部２２とを含んでおり、全体として倒Ｌ字形の断面形状を有している。
【００４７】
一方、固定フレーム２へスライド及び着脱自在に取り付けられる可動フレーム３は、スライド部３１と、スライド部３１に連結された垂直部３２とを含んでおり、全体として下向きの略Ｌ字形の断面形状を有している。さらに、固定フレーム２の載置部２１の内面、押圧部６の内面および押圧受け部７の内面にはそれぞれ弾性を有する樹脂ラバー２１０，６０及び７０が装着されており、浴槽側壁の傷付け防止及び滑り止めが施されている。
【００４８】
固定フレーム２の基部２１には、移動装置８のナット８１が回動自在に取り付けられており、ナット８１の回転により螺進退されるボルト軸８２の先端には押圧部６が首振り自在に取り付けられている。また、移動装置８はトルク伝達・遮断手段８３を含んでおり、ナット８１はトルク伝達・遮断手段８３を介してハンドルノブ８０によって回転される。
【００４９】
図２，３に示されているように、固定フレーム２の載置部２１の上面には、可動フレーム３のスライド方向に沿って等ピッチに配列された複数の固定用ネジ穴２１１と、固定用ネジ穴２１１の配列方向と直行する方向であって固定用ネジ穴２１１の配列に対して左右対称の位置に配置された１対のガイド用ネジ穴２１２が設けられている。
【００５０】
一方、可動フレーム３のスライド部３１には、固定フレーム２の一対のガイド用ネジ穴２１２と整列し、互いに平行であって可動フレーム３のスライド方向へ延びている一対のスリット３１０が設けられている。また、スライド部３１には、一対のスリット３１０の間で、可動フレーム３のスライド方向に沿って、固定フレーム２の固定用ネジ穴２１１と同じピッチで複数の貫通孔３１１が設けられている。貫通孔３１１は、固定フレーム２の固定用ネジ穴２１１の数よりも多く、且つ両端に配列された貫通孔間の距離がスリット３１０の長さよりも長くなるように配列されている。
【００５１】
このため、本実施形態に係る浴槽用手摺り１は、可動フレーム３の一対のスリット３１０のそれぞれへ、スリット３１０の幅よりも大きな直径の頭部を有するガイド用ネジ３１２をスリット３１０を通過させ、固定フレーム２のガイド用固定穴２１２に取り付けることにより、可動フレーム３を固定フレーム２に対し、固定フレーム２から離脱させることなくそのスライド方向が一方向へ規制されるように位置決めすることができる。また、固定フレーム２に対する可動フレーム３の位置を決めた後、可動フレーム３の貫通孔３１１を通過させて固定用ネジ３１３を固定フレーム２の固定用ネジ穴２１１へネジ止めすることにより、可動フレーム３を固定フレーム２の所望の位置に強固に固定することができる。
【００５２】
このように、本実施形態の浴槽用手摺り１は、浴槽側壁の厚みに合わせて、可動フレーム３の垂直部３２を、予め可能な限り固定フレーム２の基部２２及び押圧部６へ近接させておくことができるので、浴槽側壁をクランプするために必要となる押圧部６の移動距離を必要最小限に抑えることができるようになる。そのため、押圧部６を押圧受け部７へ向けて螺進退させるためのボルト軸８２長さなど移動装置８自体の大きさをコンパクトに設計することができる。
【００５３】
図４には、本実施形態の浴槽用手摺り１において、固定フレーム２と可動フレーム３とを（ａ）分離した状態、（ｂ）離間接続した状態および（ｃ）近接接続した状態のそれぞれの概要図が示されている。図５には、図４に示された本実施形態の浴槽用手摺り１において、固定フレーム２と可動フレーム３とを（ａ）離間接続した状態および（ｂ）近接接続した状態のそれぞれの側面図が示されている。
【００５４】
図４，５を参照してよく理解されるように、可動フレーム３のスライド部３１には、可動フレーム３を固定フレーム２へ取付けた時、固定フレーム２の載置部２１の底面２１３と略同じレベルとなる下端部４１を有するスカート４が設けられている。ただし、スカート４の長さは可動フレーム３のスライド部３１の全長よりも短く、スライド部３１が固定フレーム２の載置部２１の上をスライドする量と略同等の長さか、やや長目の長さに設定されている（図５（ａ）（ｂ））。
【００５５】
本実施形態の場合、可動フレーム３のスライド部３１の底面は平坦であるので、スカート４は、取り付けた時、可動フレーム３のスライド部３１の底面から下方へ且つ可動フレーム３のスライド方向へ延びているリブのような形態を有している（図４（ｂ））。また、スカート４は、スライド部３１の幅方向における左側領域及び右側領域のそれぞれに垂直なリブを形成するように配置されている（図４（ａ））。
【００５６】
本実施形態では、スカート４は、取り付けた時、スライド部３１の幅方向における左側領域及び右側領域のそれぞれに配置されているので、可動フレーム３の移動時に生じる押圧受け部７の揺動を、押圧受け部７の上端の幅方向の２箇所から規制することで、可動フレーム３および押圧受け部７を安定してスライド移動等させることができる。
【００５７】
すなわち、浴槽側壁の上面に載置される固定フレームと、固定フレームの上にスライド可能に取り付けられた可動フレームとからなる一般的な浴槽用手摺りにおいては、可動フレームをスライド移動等する時に、可動フレームに支承された押圧受け部７が周方向に揺動するため、固定フレームの載置部の端部と衝突して引っ掛かってしまうことがある。
【００５８】
ところが、本実施形態では、押圧受け部７が揺動しようとすると押圧受け部７の上端の左側領域又は右側領域がスカート４の下端部４１と当接するため、可動フレーム３の移動時に生じる押圧受け部７の揺動を確実に規制することができる。しかも、スカート４の下端部４１は固定フレーム２の載置部２１の底面２１３と略同じレベルに設定されているので、可動フレーム３の移動時、押圧受け部７は可動フレーム３のスカート４の下端部４１と固定フレーム２の載置部２１の底面２１３との間で引っ掛かりを生じることなくスムーズに移動することができる。
【００５９】
本実施形態では、スカート４は可動フレーム３から分離独立した別部品として、可動フレーム３に対して着脱可能に構成されている。
【００６０】
本実施形態では、スカート４は断面視において下向きのコの字形状を有しており、スカート４の下端部４１付近には、可動フレーム３の下面と摺接することによりスライド部３２から離脱を防止する水平リブ４２が内側へ向けて設けられている（図２参照）。本実施形態のスカート４は、可動フレーム３のスライド部３１に対して横方向からスライド挿入することにより、スライド部３１の上に簡単にスライド可能に取り付けることができる。また、スカート４は所定の高さ（位置）に下端部４１を備えていれば可動フレーム３のような高い剛性を求められることはないので、形状が重視されるスカート４を強度が重視される可動フレーム３から分離することにより、過剰な材料の使用を抑制して効率よく製作することができる。
【００６１】
本実施形態では、スカート４の、可動フレーム３のスライド方向に沿った長さが一定であるので、浴槽用手摺り１の固定フレーム２には、スカート４をスライド方向に受け入れることができる切欠き部４０が設けられている。
【００６２】
本実施形態の浴槽用手摺り１は、固定フレーム２の水平部分（横部材）を構成する載置部２１へ所定の高さ（位置）に下端部４１を備えたスカート４のリブをスライド方向に受け入れることができる切欠き部４０を有しているので、スカート４の可動フレーム３におけるスライド方向の長さを調節できない場合でも、スカート４を固定フレーム２と干渉させることなく、可動フレーム３を最大限に固定フレーム２へ近づけることができる。切欠き部４０は、載置部２１の先端縁部から中央部付近にかけて可動フレーム３のスライド方向に開口しており、下端部４１を備えたスカート４のリブの位置に合わせて２つ形成されている。
【００６３】
固定フレーム２に切欠き部４０が設けられていない場合、可動フレーム３を固定フレーム２に対して最も近接した位置に固定しようとすると、下端部４１を備えたスカート４のリブが固定フレーム２の載置部２１と干渉してしまい、可動フレーム３をスカート４の長さ以下に固定フレーム２へ近接させることができなくなる。ところが、本実施形態の浴槽用手摺り１では、固定フレーム２の載置部２１へ、スカート４のリブをスライド方向に受け入れるための切欠き部４０を設けているので、スカート４のリブを固定フレーム２の載置部２１と干渉させることなく、可動フレーム３のスライド部３１の大半を固定フレーム２の載置部２１と重なり合うように近接させることができる（図４（ｃ）参照）。
【００６４】
また、本実施形態の浴槽用手摺り１では、可動フレーム３のスライド部３１の大半が固定フレーム２の載置部２１と重なり合う場合においても、スカート４の下端部４１が固定フレーム２の切欠き部４０の中で載置部２１の底面２１３と略同じレベルに保持されるため、押圧受け部７が固定フレーム２の載置部２１の端部と衝突して引っ掛かることがなく、可動フレーム３をスムーズに固定フレーム２へ近づけることができる（図５（ｂ）参照）。
【００６５】
本実施形態の浴槽用手摺り１では、押圧部６を押圧受け部７へ向けて前進及び後退させるための移動装置８は、固定フレーム２の基部２２へ回動可能に取り付けられたナット８１と、ナット８１を回動するためのハンドルノブ８０と、そして先端部が押圧部６に連結されており且つナット８１に螺合するボルト軸８２とから構成されており、さらに所定の力未満ではハンドルノブ８０からナット８１へ回動力を伝達し、そして、所定の力以上ではハンドルノブ８０からナット８１への回動力の伝達を遮断するトルク伝達・遮断手段８３を含んでいる。
【００６６】
本実施形態では、移動装置６はナット８１及びボルト軸８２によって構成されているので、ボルト軸８２の螺進退により押圧部６を押圧受け部７に対して容易に近接又は離間させることができ、さらにその状態も確実に保持することができる。さらに、本実施形態では、ナット８１は固定フレーム２の基部２２へ回動可能に取り付けられており、ハンドルノブ８０によってナット８１を回転させることによりボルト軸８２及びその先端に取り付けられた押圧部６が螺進退するので、ハンドルノブ８０の位置は基部２２に対して変わることがない。その結果、本実施形態では、浴槽用手摺り１からハンドルノブ８０が突出するのを抑制できるので使用者にとって安全である。
【００６７】
また、本実施形態の移動装置８はトルク伝達・遮断手段８３を備えているので、使用者がハンドルノブ８０を回して押圧部６を押圧受け部７へ向けて強力に押し込んでも浴槽側壁を破損することなく、本実施形態の浴槽用手摺り１を必要にして十分な押圧力（クランプ力）をもって浴槽側壁へ取り付けることができる。また、押圧部６の移動装置８へ上述のトルク伝達・遮断手段８３を設けても、ハンドルノブ８０の位置は固定フレーム２の基部２２に対して変わることがない。
【００６８】
なお、図示しないが、本実施形態のトルク伝達・遮断手段８３は、ハンドルノブ８０の内部に設けられており、突起と突起の間に形成された凹部等からなる第１の係止手段と、ナット８１の端部に設けた欠き等の凹部からなる第２の係止手段とをピン等の係合手段によって連結することにより、所定の力以上でも、常にハンドルノブ８０からナット８１へ回動力を伝達できるようにすることができる。
【００６９】
その結果、本実施形態の浴槽用手摺り１では、押圧受け部７の上端の全部又は一部を押圧部６の押圧面の中心よりも高い位置に配置することができるので、押圧部６の押圧面の中心や荷重点が押圧受け部７の受け面からその領域外へ外れることにより生じる、浴槽側壁のねじり応力を効果的に抑制することができる。また、押圧部６の押圧面の中心や荷重点が押圧受け部７の受け面から外れることにより、押圧受け部７の受け面が浴槽側壁に対して傾斜（回転）した状態で押圧することも防止されるので、押圧受け部７の上端の縁部や角部が浴槽側壁を局部的に押圧する（応力集中を起す）ことも効果的に防止することができる（図３及び図５（ａ）（ｂ）参照）。
【００７０】
また、本実施形態の浴槽用手摺り１では、押圧受け部７の上端を可能な限り固定フレーム２の載置部２１の下面へ近づけることにより、押圧受け部７の浴槽側壁（側面）との当接面の上端が押圧部６の浴槽側壁（側面）との当接面の上端と同じ高さとなるように配置することができるので、押圧受け部７の上端或いは押圧受け部７の浴槽側壁（側面）との当接面上端の縁部や角部が浴槽内壁を局部的に押圧することがなくなる結果、応力集中による浴槽内壁の破壊を防止することができる（図３及び図５（ａ）（ｂ）参照）。
【符号の説明】
【００７１】
１・・・・・浴槽用手摺り
２・・・・・固定フレーム
２０・・・・補強リブ
２１・・・・載置部
２１０・・・樹脂ラバー
２１１・・・固定用ネジ穴
２１２・・・ガイド用ネジ穴
２１３・・・底面
２２・・・・基部
２３・・・・メイングリップ
２３０・・・上部グリップ
２３１・・・固定孔
２３２・・・グリップ支持部
２４・・・・保護カバー
２５・・・・延出部
３・・・・・可動フレーム
３１・・・・スライド部
３１０・・・スリット
３１１・・・貫通孔
３１２・・・ガイド用ネジ
３１３・・・固定用ネジ
３２・・・・垂直部
３３・・・・サブグリップ
３４・・・・保護カバー
４・・・・・スカート
４０・・・・切欠き部
４１・・・・下端部
４２・・・・水平リブ
５・・・・・脚部
５０・・・・ネジ
５１・・・・主脚部
５２・・・・補助脚部
６・・・・・押圧部
６０・・・・樹脂ラバー
７・・・・・押圧受け部
７０・・・・樹脂ラバー
８・・・・・移動装置
８０・・・・ハンドルノブ
８１・・・・ナット
８２・・・・ボルト軸
８３・・・・トルク伝達・遮断手段
【図１】
2019180676.tif 000003
【図２】
2019180676.tif 000004
【図３】
2019180676.tif 000005
【図４】
2019180676.tif 000006
【図５】
2019180676.tif 000007